(57)【特許請求の範囲】
【請求項１】
薬液が収容されたカートリッジが収容された注射器本体部の先端部に、着脱自在に取り付けられる、内部に注射針が収容された注射針保護装置であって、
有底円筒状に形成され、底部に注射針が取り付けられると共に、内周面に注射器本体部の先端部に形成された雄螺子部と螺合する雌螺子部が形成されたニードルハブと、
円筒状に形成され、周面に開口部が形成されると共に、内部に前記ニードルハブが移動可能に収容され、前記注射針を覆う状態と注射針を露出した状態になす遮蔽筒と、
前記ニードルハブ内に収容されると共に一端部がニードルハブの外部に突出し、前記遮蔽筒の開口部に係止されることにより、ニードルハブと前記遮蔽筒との間の相対移動を禁止するロック部材と、
前記注射器本体部の先端部に形成されたロック解除部と、
を備え、
前記注射器本体部の先端部に形成された雄螺子部とニードルハブの雌螺子部とを螺合する方向に回動させることにより、前記注射器本体部の先端部に設けられたロック解除部により、前記ロック部材による前記開口部の係止が解除され、前記ニードルハブに対して遮蔽筒が移動可能な状態になされ、
かつ、前記螺合する方向と反対方向に回動させることによって、前記ロック部材が前記開口部に係止された状態になされ、前記ニードルハブに対して遮蔽筒の移動が規制される状態になされることを特徴とする注射針保護装置。
【請求項２】
前記ロック部材は弾性部材で形成され、
前記螺合する方向と反対方向に回動させた際、前記ロック部材の復元力によって、前記ロック部材の一端部がニードルハブの外部に突出し、前記開口部に係止された状態になされ、前記ニードルハブに対して遮蔽筒の移動が規制される状態になされることを特徴とする請求項１記載の注射針保護装置。
【請求項３】
前記ロック部材は弾性部材で形成されると共に、
円筒状に形成された本体部と、
前記本体部から突出して、一方向に円弧状に延設された舌状部と、
前記舌状部の先端部に外方向に屈曲して形成された、前記開口部に係止される被係止部と、
前記本体部から突出して形成された、前記注射器本体の先端部に形成されたロック解除部と係合する係合突起と、を備えていることを特徴とする請求項１または請求項２に記載の注射針保護装置。
【請求項４】
前記ロック部材は、合成樹脂材料により形成されていることを特徴とする請求項１乃至請求項３のいずれかに記載された注射針保護装置。
【発明の詳細な説明】
【技術分野】
【０００１】
本発明は、注射針保護装置に関し、例えば、患者自身が常時携帯して必要時に注射することができる注射器の注射針保護装置に関する。
【背景技術】
【０００２】
例えば、糖尿病患者等においては、患者自身がインシュリン等を皮下注射することが一般的に行われている。
このような注射器にあっては、図１５（ａ）に示すように、薬液が収容された注射器本体部１００の先端部に螺子部１００ａが形成されている。一方、針収容部材１０１に収容された針部１０１ｂには、前記螺子部１００ａと螺合する螺子部（図示せず）が形成されている。
そして、図１５（ｂ）に示すように、針収容部材１０１に収容された針部１０１ｂを、前記螺子部１００ａに螺合する。続いて、図１５（ｃ）に示すように、前記針収容部材１０１の外カバー１０１ａを外すことにより、前記針部１０１ｂを露出させる。その後、図１５（ｄ）に示すように、前記針部１０１ｂから内カバー１０１ｃを取り外し、注射針１０１ｄを露出させる。
これにより、注射器本体部１００への注射針１０１ｄの装着が了する。患者は身体の所定の部位に前記注射針１０１ｄを刺し、注射器本体部１００を操作することによって、注射を実行する。
【０００３】
注射後、患者は前記操作の逆の操作を行い、注射器本体部１００から前記針部１０１ｂの取り外しを行う。
即ち、内カバー１０１ｃを注射針１０１ｄに装着し、その後、外カバー１０１ａ内に針部１０１ｂを収容し、前記外カバー１０１ａを回転させることにより、針収容部材１０１（針部１０１ｂ）を注射器本体部１００から取り外し、注射の一連の操作が完了する。尚、取り外された針収容部材１０１は廃棄物として処理される。
一方、前記注射器本体部１００内には、薬液が所定回数分収容されており、注射を再び実行する際には、新たな注射針の着脱が行われる。
【０００４】
ところで、前記針収容部材１０１は、患者に不用意に注射針が刺さらないように、針を保護する部材として機能している。
しかしながら、前記針収容部材１０１にあっては、内カバー１０１ｃを注射針１０１ｄに装着する際、誤って、患者自身の手を刺してしまう虞があった。
【０００５】
この問題を解決するものとして、特許文献１にあっては、注射針が取り付けられたニードルハブと、前記注射針を覆う遮蔽体を設け、前記遮蔽体がニードルハブに対して移動し、注射針が露出する状態と、注射針が遮蔽される状態になす注射針保護装置が提案されている。また、特許文献２においても、特許文献１と同様な注射針保護装置が提案されている。
このような注射針保護装置にあっては、内カバーを設ける必要がなく、前記遮蔽体を移動させることにより、注射針が遮蔽される状態になされるため、患者自身の手を誤って刺してしまうことを防止することができる。
【先行技術文献】
【特許文献】
【０００６】
【特許文献１】特表２０１３−５２６９７７公報
【特許文献２】特表２００３−５３４１０５公報
【発明の概要】
【発明が解決しようとする課題】
【０００７】
しかしながら、前記した特許文献１，２に示された注射針保護装置にあっては、注射針が遮蔽されている状態から注射針が露出する状態に、不用意に変わらないように、遮蔽体とニードルハブとの間に、いわゆるロック部材が設けられている。
しかしながら、このような遮蔽体とニードルハブとの間にロック部材が設けられた、前記遮蔽体とニードルハブとの間の相対的な移動を禁止する注射針保護装置にあっては、注射針を注射器本体部に装着した後に前記ロック部材のロックを解除し、遮蔽体とニードルハブとの間の相対的な移動を可能な状態にする必要がある。また、注射器使用後においては、ロック部材のロックを動作状態とした後に、注射針を注射器本体部から取り外す等の操作を行う必要がある。
このように、ロック部材によるロックを動作状態、あるいは非動作状態になすための操作が必要であり、その操作が煩雑であり、また、患者がその操作を忘れ、注射針が患者自身の手を誤って刺す虞がある。
【０００８】
また、注射針を注射器本体部に装着する際に、前記ロック部材が不用意に解除され、注射針が遮蔽されている状態から注射針が露出する状態に変化し、注射針が患者の手等を刺す虞がある。
また、前記ロック部材が不用意に解除されることは、注射針を注射器本体部に装着する際のほか、使用済み注射器を破棄処理する際にも起こり得、注射針が廃棄処理者の手等を刺す虞がある。
【０００９】
本発明者は、上記事情に鑑みて、注射針の着脱をより安全に、しかも煩雑さを伴うことなく行うことができ、更には、廃棄処理についても安全に行うことができる注射針保護装置を鋭意研究し、本発明を完成するに至った。
【００１０】
本発明は、注射針が収容された注射針保護装置を注射器本体部の先端部に螺合（取り付ける）する方向に回動させることにより、ニードルハブに対して遮蔽筒が移動可能な状態になされ、螺合する方向と反対方向（取り外す方向）に回動させることにより、ニードルハブに対して遮蔽筒の移動が規制される状態になされる注射針保護装置を提供することを目的とする。
【課題を解決するための手段】
【００１１】
本発明にかかる注射針保護装置は、薬液が収容されたカートリッジが収容された注射器本体部の先端部に、着脱自在に取り付けられる、内部に注射針が収容された注射針保護装置であって、有底円筒状に形成され、底部に注射針が取り付けられると共に、内周面に注射器本体部の先端部に形成された雄螺子部と螺合する雌螺子部が形成されたニードルハブと、円筒状に形成され、周面に開口部が形成されると共に、内部に前記ニードルハブが移動可能に収容され、前記注射針を覆う状態と注射針を露出した状態になす遮蔽筒と、前記ニードルハブ内に収容されると共に一端部がニードルハブの外部に突出し、前記遮蔽筒の開口部に係止されることにより、ニードルハブと前記遮蔽筒との間の相対移動を禁止するロック部材と、前記注射器本体部の先端部に形成されたロック解除部と、を備え、前記注射器本体部の先端部に形成された雄螺子部とニードルハブの雌螺子部とを螺合する方向に回動させることにより、前記注射器本体部の先端部に設けられたロック解除部により、前記ロック部材による前記開口部の係止が解除され、前記ニードルハブに対して遮蔽筒が移動可能な状態になされ、かつ、前記螺合する方向と反対方向に回動させることによって、前記ロック部材が前記開口部に係止された状態になされ、前記ニードルハブに対して遮蔽筒の移動が規制される状態になされることを特徴としている。
【００１２】
このように、本発明にかかる注射針保護装置は、注射器本体部の先端部に形成された雄螺子部とニードルハブの雌螺子部とを螺合する方向に回動させることにより、前記注射器本体部の先端部に設けられたロック解除部により、前記ロック部材による前記開口部の係止が解除される。いわゆる前記ロック部材によるロック動作状態が解除される。
また、前記螺合する方向と反対方向に回動させることによって、前記ロック部材が前記開口部に係止された状態になされる。いわゆる前記ロック動作状態が解除された状態からロック動作状態になすことができる。
更に言えば、注射針保護装置を注射器本体部に対して回動させる着脱操作のみで、ロック部材の動作状態を解除状態、あるいはロック状態になすことができ（ロックのための特別な操作を行う必要がなく）、患者の操作忘れによる事故を防止することができる。
また、前記ロック部材が遮蔽筒の開口部に係止されているため、注射針保護装置を注射器本体部に着脱する際、あるいは、注射針保護装置を廃棄処理する際に、前記ロックが不用意に解除され、注射針が遮蔽されている状態から注射針が露出する状態に変化し、患者あるいは廃棄処理者の手等を刺すという事故を防止することができる。
【００１３】
また、前記ロック部材は弾性部材で形成され、前記螺合する方向と反対方向に回動させた際、前記ロック部材の復元力によって、前記ロック部材の一端部がニードルハブの外部に突出し、前記開口部に係止された状態になされ、前記ニードルハブに対して遮蔽筒の移動が規制される状態になされることが望ましい。
【００１４】
また、前記ロック部材は弾性部材で形成されると共に、円筒状に形成された本体部と、前記本体部から突出して、一方向に円弧状に延設された舌状部と、前記舌状部の先端部に外方向に屈曲して形成された、前記開口部に係止される被係止部と、前記本体部から突出して形成された、前記注射器本体の先端部に形成されたロック解除部と係合する係合突起と、を備えていることが望ましい。
更に、前記ロック部材は、合成樹脂材料により形成されていることが望ましい。
【発明の効果】
【００１５】
本発明によれば、注射針が収容された注射針保護装置を注射器本体部の先端部に螺合（取り付ける）する方向に回動させることにより、ニードルハブに対して遮蔽筒が移動可能な状態になされ、螺合する方向と反対方向（取り外す方向）に回動させることにより、ニードルハブに対して遮蔽筒の移動が規制される状態になされる注射針保護装置を得ることができる。
【図面の簡単な説明】
【００１６】
【図１】図１は、本発明の一実施形態にかかる注射針保護装置が注射器本体に取り付けられた状態（ロック部材のロック解除前の状態）を示す斜視図である。
【図２】図２は、本発明の一実施形態にかかる注射針保護装置を示す図であって、（ａ）は先端部側から見た斜視図、（ｂ）は後端部側から見た斜視図である。
【図３】図３は、図２に示した注射針保護装置を示す図であって、（ａ）は正面図、（ｂ）は背面図である。
【図４】図４は、図３に示した注射針保護装置を示す断面図であって、（ａ）と（ｂ）は９０度角度が異なる断面図である。
【図５】図５は、ニードルハブを示す斜視図であって、（ａ）は先端部側から見た斜視図、（ｂ）は後端部側から見た斜視図である。
【図６】図６は、図５に示したニードルハブを示す図であって、（ａ）と（ｂ）は９０度角度が異なる断面図である。
【図７】図７は、遮蔽筒を示す図であって、（ａ）は先端部側から見た斜視図、（ｂ）は後端部側から見た斜視図である。
【図８】図８は、図７に示した遮蔽筒を示す断面図である。
【図９】図９は、ロック部材を示す図であって、（ａ）は斜視図、（ｂ）は正面図である。
【図１０】図１０は、注射器本体部の軸筒を示す図であって、（ａ）は先端部側から見た斜視図、（ｂ）は後端部側から見た斜視図である。
【図１１】図１１は、注射針保護装置が注射器本体に取り付けられた状態（ロック部材のロック解除前の状態）を示す図であって、（ａ）は（ｂ）のＩ−Ｉ断面図、（ｂ）は側面図である。
【図１２】図１２は、図１１に示すロック部材のロック解除前の状態を示す断面図である。
【図１３】図１３は、注射針保護装置が注射器本体に取り付けられ、ロック部材のロックが解除された状態）を示す図であって、（ａ）は（ｂ）のＩＩ−ＩＩ断面図、（ｂ）は側面図である。
【図１４】図１４は、本発明の一実施形態にかかる注射針保護装置用いられた注射器に使用状態を示す図であって、（ａ）は側面図、（ｂ）は断面図である。
【図１５】図１５は、従来の注射針保護装置を示す図であって、（ａ）〜（ｄ）は操作の状態を説明するために概略図である。
【発明を実施するための形態】
【００１７】
以下、本発明にかかる注射器保護装置の一実施形態について、図１乃至図１４に基づいて説明する。
図１に示すように、この注射針保護装置１は、注射器本体部Ａの先端部に着脱自在に取り付けられる。注射針保護装置１が注射器本体部Ａの先端部に装着されることにより、注射器として用いられる。
この注射針保護装置１の内部には注射針２が収容されており、注射針保護装置１を注射器本体部Ａに装着することによって、注射針保護装置１のロック部材５のロック動作が解除され、遮蔽筒４によって注射針２を遮蔽している状態から、注射針２が露出する状態になされるように構成されている。
特に、前記注射針保護装置１を注射器本体部Ａに回動（螺合）させることにより、ロック部材によるロック動作状態を解除、あるいはロック動作状態になすように構成されている。
【００１８】
また、前記注射器本体部２の内部には、薬液が収容されたカートリッジａが収容され、前記注射器本体部Ａの後端部の操作部ｂを操作することにより、前記操作部ｂのピストンがカートリッジａ２を押圧し、所定量の薬液が導出されるように構成されている。
この注射器本体部Ａの内部構造は、従来の注射器本体部の内部構造と変わらないため、その内部構造の説明は省略する。
【００１９】
前記注射針保護装置１は、図２、図３、図４に示すように、注射針２が取り付けられ、注射器本体Ａの先端部に装着されるニードルハブ３と、前記ニードルハブ３を移動可能に収容し、前記注射針２を覆う遮蔽状態と前記注射針２が突出した露出状態になす遮蔽筒４と、前記ニードルハブ３と前記遮蔽筒４との間に配置されたロック部材５とを備えている。
前記ロック部材５は、ニードルハブ３の外周面から出没することにより、ニードルハブ３と遮蔽筒４の相対移動を禁止あるいは移動を可能とする、ロック部材として機能する。
【００２０】
前記ニードルハブ３について、図４〜図６に基づいて説明する。
このニードルハブ３は、図５に示すように、有底円筒状に形成され、ニードルハブ３の先端側に形成された底部３１と、円筒状の本体部３２と、前記本体部３２の周面に軸線ｌ１と平行に、かつ１８０度の間隔で形成された２つのガイド突起３３とを備えている。
また、このニードルハブ３は、前記本体部３２の周面であって、前記２つのガイド突起３３の間に形成された、ロック部材５の被係止部５３を外部に突出させる開口部３４を備えている。この開口部３４は、１８０度の間隔で形成された２つの開口部として形成されている。
【００２１】
前記底部３１の中央部には注射針２を保持する保持部が形成され、この保持部は底部３１から先端側に突出した保持部３１ａと、底部３１から後端側に突出した保持部３１ｃとを備えている。前記保持部３１ａ、３１ｃの中心には，注射針２が挿通して取り付けられる貫通孔３１ｂが設けられている。
前記注射針２は、図４に示すように，略中間部が前記貫通孔３１ｂに固定される。前記注射針２の後端部側は、前記ニードルハブ３の内部に突出し、注射器本体部Ａに注射針保護装置１が装着された際、カートリッジａの栓部に刺し込まれ、前記カートリッジａの薬液を導出できるように構成されている。
【００２２】
また、前記ニードルハブ３の本体部３１の内周面には、注射器本体部Ａの先端部に形成された雄螺子部６１（図１０参照）と螺合する雌螺子部３５が形成さている。
前記ニードルハブ３の開放端部には、注射器本体部Ａの先端部に形成された係合突起６３（図１０参照）に係合する係合突起３６が形成されている。前記係合突起３６は、前記ニードルハブ３を注射器本体部Ａの先端部に螺合させた際、前記螺合の終了領域において係合突起６３を乗越えるように形成されている。前記前記係合突起３６が係合突起６３を乗越えることにより、いわゆるクリック感が得ることができ、使用者は螺合の終了、及び後に述べるロックの解除あるいはロック動作になされたことを認識することができる。
【００２３】
次に、遮蔽筒４について図２、図３、図４、図７、図８に基づいて説明する。
この遮蔽筒４は円筒状に形成され、その内周面には軸線ｌ２と平行に、かつ１８０度の間隔で形成された２つのガイド溝４１が形成されている。前記ガイド溝４１内に、前記ガイド突起３３が収容され、前記ニードルハブ３と遮蔽筒４が回動することなく、相対的に移動（摺動）するように構成されている。
この２つのガイド溝４１は、前記遮蔽筒４の一端側（先端側）から他端側（後端側）近傍までに延設されている。また、前記遮蔽筒４の他端側（後端側）には、前記ニードルハブ３の移動を規制する、内周面から突出した移動規制部４３が設けられている。この移動規制部４３は、前記遮蔽筒４の他端側（後端側）から前記ニードルハブ３が脱落するのを防止する機能を有している。
【００２４】
また、前記遮蔽筒４の周面には、前記ガイド溝４１と９０度の間隔をもって、ロック部材５の被係止部５３が係止される２つの係止開口部４２が形成されている。
即ち、前記２つの係止開口部４２は１８０度の間隔をもって形成され、前記ロック部材５の被係止部５３が、図４（ａ）に示すように、前記ニードルハブ３の開口部３４から突出した際、前記係止開口部４２の側壁部に係止されるように形成されている。
【００２５】
次に、ロック部材５について図４、図９に基づいて説明する。
前記ロック部材５は、図４に示すように、ニードルハブ３の外周面から出没することにより、遮蔽筒４の係止開口部４２の側壁部に係止され、あるいは係止が解除される。これにより、ニードルハブ３と遮蔽筒４の相対移動を禁止、あるいは相対移動を可能とする。
【００２６】
前記ロック部材５は、ポリアセタール等の合成樹脂で構成されている。
このロック部材５は、円筒状に形成された本体部５１と、前記本体部５１の先端側周面から突出し、一方向（先端部側からみて時計方向）に円弧状に延設された舌状部５２と、前記舌状部５２の先端部が外方向に屈曲した被係止部５３とを備えている。
また、前記本体部５１の後端側周面には、前記注射器本体Ａの先端部に形成されたロック解除部６２と係合し、本体部５１及び舌状部５２に回転を与える係合突起５４が形成されている。
【００２７】
次に、注射器本体部Ａの軸筒６について説明する。
図１０に示すように、注射器本体部Ａの軸筒６は円筒状に形成され、先端部６Ａ、中間部６Ｂ、後端部６Ｃから構成されている。
前記先端部６Ａの外周面には、前記ニードルハブ３の雌螺子部３５と螺合する雄螺子部６１が形成されている。
また前記先端部６Ａの内周面には、ロック解除部６２が形成されている。具体的には、ロック解除部６２は、先端部６Ａの内周面から内方に突出した、１８０度の間隔をもって形成された２つの突起である。
【００２８】
前記したように注射器本体部Ａの軸筒６に前記ニードルハブ３を螺合する際の回動によって、前記ロック解除部６２は前記ロック部材５の係合突起５４と係合し、ロック部材５の本体部５１及び舌状部５２を回動させる。
そして、このロック部材５の回動によって、遮蔽筒４の係止開口部４２の側壁部に係止されているロック部材５の被係止部５３を、ニードルハブ３内の方向に後退させ、係止開口部４２と係止開口部４２との係止を解除し、前記ニードルハブに対して遮蔽筒を移動可能な状態になすように構成されている。
即ち、注射器本体部Ａの軸筒６に前記ニードルハブ３を螺合する際の回動によって、ロック部材５のロック状態を解除するように構成されている。
【００２９】
また、前記軸筒６の先端部の雄螺子部６１の後側には、係合突起６３が形成されている。この係合突起６３は、前記したように、前記ニードルハブ３の開放端部の係合突起３６を乗越える際、いわゆるクリック感が生じるように構成されている。
即ち、使用者は、前記軸筒６０の雄螺子部６１と前記ニードルハブ３の雌螺子部３５とを回動させた際、ロック部材５によるロック状態は解除されたこと、あるいはロック部材５によるロック状態になされたことを、係合突起６３が係合突起３６を乗越える際のクリック感で確認することができる。
【００３０】
また、前記軸筒６の中間部６Ｂの後端部には、スプリング７の一端部が係止されるスプリング掛け用突起６４が形成されている。前記スプリング７の一端部がスプリング掛け用突起６４に係止されるため、注射器本体部Ａからの脱落が防止される。
また、前記軸筒６の後端部６Ｃには、操作部６ｂが螺合する雌螺子部６５が形成されている。この操作部６ｂは、注射器本体部Ａ内に収容されたカートリッジａの後端部を押圧し、薬液を吐出するピストン機構が設けられている（図１参照）。
尚、前記軸筒６の中間部６Ｂ及び後端部６Ｃの周面の一部に開口部６Ｂ１、６Ｃ１が形成され、内部に収容されるカートリッジａを外部から視認できるようになされている。
【００３１】
次に、このように構成された注射針保護装置の組立てについて図２、図３、図４に基づいて説明する。
まず、ニードルハブ３の貫通孔３１ｂに注射針２を嵌通し、保持部３１ａに注射針２を装着する。このニードルハブ３の後端部からロック部材５を挿入し、底部３１の後面側の保持部３１ｃに、ロック部材５の本体部５１を取り付ける。
このとき、前記ロック部材５は弾性を有するため、舌状部５２の外径を縮小してニードルハブ３の後端部から底部３１に向けて挿入される。
そして、保持部３１ａにロック部材５の本体部５１が取り付けられ、ロック部材５の被係止部５３が、ニードルハブ３の開口部３４に位置すると、舌状部５２の外径が拡がり、ロック部材５の被係止部５３が、ニードルハブ３の開口部３４から外方へ突出する。これにより、ロック部材５はニードルハブ３内に取り付けられる。
【００３２】
続いて、注射針２及びロック部材５が装着されたニードルハブ３を、遮蔽筒４の先端部からニードルハブ３のガイド突起３３を遮蔽筒４のガイド溝内に位置させて、挿入する。
このとき、前記ロック部材５の被係止部５３は、遮蔽筒４の内周面によって押され、舌状部５２の外径を縮小するため、ニードルハブ３の外周面から突出することはない。
そして、ニードルハブ３の本体部３２の後端面が遮蔽筒４の移動規制部４３に当接するまで、ニードルハブ３は挿入される。前記ロック部材５の被係止部５３が遮蔽筒４の係止開口部４２に位置すると舌状部５２の外径が拡がり、ロック部材５の被係止部５３がニードルハブ３の開口部３４を介して、前記係止開口部４２の側壁に係止される。
これにより、遮蔽筒４の内部にニードルハブ３が取り付けられ、注射針保護装置１の組立てが完了する。
【００３３】
前記ロック部材５の被係止部５３が、ニードルハブ３の開口部３４を介して、前記係止開口部４２の側壁に係止された状態にあっては、前記遮蔽筒４に対するニードルハブ３の前後方向の移動は規制される。
即ち、この組み立てられた注射針保護装置１、言い換えれば使用前の注射針保護装置１にあっては、ニードルハブ３に対する遮蔽筒４３の前後方向の相対的な移動は、ロック部材５によって規制されるため、ニードルハブ３が不用意に移動して、注射針２が突出する等の事故を防止することができる。
【００３４】
次に、注射針保護装置１の動作、作用について、図１１至図１４に基づいて説明する。
まず、注射器本体部Ａの軸筒６の中間部６Ｂのスプリング掛け用突起６４に、スプリング７の一端部を係止し、前記スプリング７を注射器本体部Ａに装着する。また、前記注射器本体部Ａ内部にカートリッジａを収納すると共に、前記注射器本体部Ａの後端部に操作部ｂを装着する。
【００３５】
その後、注射針保護装置１を注射器本体部Ａの先端部に装着する。即ち、図１１、図１２に示すように、注射針保護装置１におけるニードルハブ３の雌螺子部３５を注射器本体部Ａの雄螺子部６１に螺合させる。
この螺合の動作中は、図１１（ａ）、図１２に示すように、ロック部材５の被係止部５３が、ニードルハブ３の開口部３４を介して、前記係止開口部４２の側壁に係止されるため、前記遮蔽筒４に対するニードルハブ３の移動は規制される。即ち、この螺合の動作中に注射針２が突出することはない。
【００３６】
そして、注射針保護装置１を回動（螺合）させ、注射針保護装置１におけるニードルハブ３の係合突起３６が注射器本体部Ａの係合突起６３を乗越える際、注射器本体部Ａのロック解除部６２がロック部材５の係合突起５４に当接する。
このとき、図１３に示すように、注射針保護装置１の回動（ロック解除部６２の回動）によって、前記ロック部材５は捻られ、その外径が縮小し、前記ロック部材５の被係止部５３と係止開口部４２の側壁との係止が解除される。
即ち、前記ロック部材５の被係止部５３は遮蔽筒４内に収容され、前記遮蔽筒４に対するニードルハブ３の移動が許容される状態（ロック解除状態）になされる。
【００３７】
更に、注射針保護装置１におけるニードルハブ３の係合突起３６が注射器本体部Ａの係合突起６３を乗越えた際、使用者に対してクリック感を与えることができるため、ニードルハブ３の移動が許容される状態になされたことを認識することができる。
【００３８】
このように、前記遮蔽筒４に対するニードルハブ３の移動が許容される状態になされた後、前記遮蔽筒４を使用者の所定の部位Ｈに当て注射器本体Ａを押すと、図１４に示すように、前記ニードルハブ３に対して、遮蔽筒４がスプリング７を圧縮しながら後退し、注射針２が遮蔽筒４から突出し、注射針２が使用者の所定の部位Ｈに刺し込まれる。
前記ニードルハブ３に対する遮蔽筒４の後退は、前記ガイド突起３３がガイド溝４１内を摺動するため、回転することなく、直線状に後退する。
そして、注射針２を使用者の所定の部位Ｈに刺した後、操作部ｂを操作することにより、カートリッジａから所定量の薬液を導出することができる。その後、注射針２を使用者の所定の部位Ｈから抜くことにより、前記ニードルハブ３に対して、スプリング７の反発力により遮蔽筒４は前進し、遮蔽筒４内に注射針２は収容される。
【００３９】
その後、注射針保護装置１を前記回動と逆方向に回動させ、前記ニードルハブ３の係合突起３６が注射器本体部Ａの係合突起６３を乗越えることにより、前記ロック部材５はロック解除部６２による捻りから開放される。
その結果、前記ロック部材５は弾性力（復元力）により初期の状態に復元し、前記ロック部材５の被係止部５３が係止開口部４２内に進入し、係止開口部４２の側壁に係止される。即ち、前記遮蔽筒４に対するニードルハブ３の移動が規制（禁止）される状態（ロック動作状態）になされる。
【００４０】
更に、注射針保護装置１におけるニードルハブ３の係合突起３６が注射器本体部Ａの係合突起６３を乗越えた際、使用者に対してクリック感を与えることができるため、ニードルハブ３の移動が規制（禁止）される状態になされたことを知らせることができる。
【００４１】
また、注射針保護装置１におけるニードルハブ３の雌螺子部３５と注射器本体部Ａの雄螺子部６１との螺合を解除することにより、注射針保護装置１を注射器本体部Ａから取り外し、廃棄する。
前記注射器本体部Ａからの注射針保護装置１の取り外し、及び廃棄にあっては、ニードルハブ３の移動が規制（禁止）される状態になされるため、ニードルハブ３が不用意に移動することがなく、注射針２が突出する等の事故を防止することができる。
【００４２】
以上説明したように、本発明にかかる注射針保護装置にあっては、前記注射針保護装置１を注射器本体部Ａに螺合させる、あるいは螺合を解除すると言うという着脱動作によって、ニードルハブと前記遮蔽筒との間の相対移動を禁止するロックを解除する（ロック部材を非動作状態になす）ことができ、またニードルハブと前記遮蔽筒との間の相対移動を禁止するロックを動作させる（ロック部材を動作状態になす）ことができる。
更に言えば、注射針保護装置１を注射器本体部Ａから取り外す操作のみで、ロック部材をロック動作状態になすことができ、（ロックのための特別な操作を行う必要がなく）、患者の操作忘れによる事故を防止することができる。
【００４３】
尚、上記実施形態あっては、注射針保護装置を注射器本体部に対して回動させることにより、ロック部材のロック動作状態を解除し、またロック部材のロック動作状態となす具体的な構成について説明したが、注射器本体部を注射針保護装置に対して回動させることにより、ロック部材の動作状態を解除し、またロック部材の動作状態となしても良い。
また、上記実施形態あっては、ロック解除部として突起とし、前記突起に係合する部材としてロック部材に係合突起を形成した場合について説明したが、本発明はこれに限定されるものでなく、ロック解除部を凹部とし、前記凹部に係合する部材としてロック部材に係合突起を形成しても良く、あるいはロック解除部を突起とし、前記突起に係合する部材としてロック部材に凹部を形成しても良い。
【符号の説明】
【００４４】
１        注射針保護装置
２        注射針
３        ニードルハブ
３１      底部
３２      本体部
３３      ガイド突起
３４      開口部
３５      雌螺子部
３６      係合突起
４        遮蔽筒
４１      ガイド溝
４２      係止開口部（開口部）
４３      移動規制部
５        ロック部材
５１      本体部
５２      舌状部
５３      被係止部
５４      係合突起
６        注射器本体部の軸筒
６Ａ      軸筒先端部
６Ｂ      軸筒中間部
６Ｃ      軸筒後端部
６１      雄螺子部
６２      ロック解除部
６３      係合突起
６４      スプリング掛け用突起
Ａ        注射器本体部
ａ        カートリッジ
ｂ        操作部
【図１】
0006322082.tif 000002
【図２】
0006322082.tif 000003
【図３】
0006322082.tif 000004
【図４】
0006322082.tif 000005
【図５】
0006322082.tif 000006
【図６】
0006322082.tif 000007
【図７】
0006322082.tif 000008
【図８】
0006322082.tif 000009
【図９】
0006322082.tif 000010
【図１０】
0006322082.tif 000011
【図１１】
0006322082.tif 000012
【図１２】
0006322082.tif 000013
【図１３】
0006322082.tif 000014
【図１４】
0006322082.tif 000015
【図１５】
0006322082.tif 000016